(57)【要約】      （修正有）【課題】構造が簡単で実用性が高く、使い勝手がよく、再組み立てが可能な、家具製品の組立て連結具を提供する。【解決手段】家具製品の組立て連結具は、互いに嵌合する雌部材１及び雄部材２を含む。雌部材１は、平面である底面を有するベースである。ベースは、両側に一体に連結された第１側板及び第２側板が設けられている。ベース、第１側板及び第２側板は、案内溝を形成する。雄部材は、垂直に設けられた第１基板及び第２基板を含む。第１基板の底部には、案内溝に挿入されるＴ字状突起が設けられている。Ｔ字状突起によって、案内溝とともに着脱可能な構造に形成し、分解後の再組み立てを多数回に亘って実現する。補強リブを設けることにより、雄部材２の性能が向上し、安定性が向上し、取り外し時の作業者の手の付着点として、作業者が取り外し作業をしやすくなる。第３貫通孔を設けることにより、製品加工時にプラスチックの放熱がはやくなり、製品の加工効率が向上する。【選択図】図１
0003230122.tif 000002
【実用新案登録請求の範囲】
【請求項１】
互いに嵌合する雌部材（１）と雄部材（２）とを含み、
前記雌部材（１）は、平面である底面を有するベース（３）であり、前記ベース（３）の両側には第１側板（４）と第２側板（５）とが一体に連結されており、前記ベース（３）、第１側板（４）及び第２側板（５）は、案内溝（６）を形成し、
前記雄部材（２）は、垂直に設けられた第１基板（７）及び第２基板（８）を有し、前記第１基板（７）の底部には、案内溝（６）に挿入されるＴ字状突起（９）が設けられている、
ことを特徴とする家具製品の組立て連結具。
【請求項２】
前記ベース（３）の一端が密閉状に形成されている、
ことを特徴とする請求項１に記載の家具製品の組立て連結具。
【請求項３】
前記ベース（３）には、第１貫通孔（１０）が設けられている、
ことを特徴とする請求項１に記載の家具製品の組立て連結具。
【請求項４】
前記第２基板（８）には、第２貫通孔（１１）が設けられている、
ことを特徴とする請求項１に記載の家具製品の組立て連結具。
【請求項５】
前記Ｔ字状突起（９）は、全体が中実のプラスチック構造であるか、または、第１基板（７）に連通する複数の第３貫通孔（１２）がＴ字状突起（９）に設けられている、
ことを特徴とする請求項１に記載の家具製品の組立て連結具。
【請求項６】
前記ベース（３）と第１基板（７）と第２基板（８）との長さが同じである、
ことを特徴とする請求項１に記載の家具製品の組立て連結具。
【請求項７】
前記第１基板（７）と第２基板（８）との間に補強リブ（１３）が設けられている、
ことを特徴とする請求項５に記載の家具製品の組立て連結具。
【考案の詳細な説明】
【技術分野】
【０００１】
本考案は、連結具に関し、特に家具製品の組立て連結具に関する。
【背景技術】
【０００２】
従来の家具は、部品間の連結が固定的に行われていることが多く、家具が搬送及び輸送中に損傷を受け易いだけでなく、その占有体積が大きいため輸送コストが高くなる。この問題を解決するために、現在、多くの家具は、解体可能である。これにより、家具は、未使用時又は輸送時に、解体して包装及び輸送を行うことができる。これは、家具が占める空間を減少させ、輸送コストを大幅に減少させるだけでなく、輸送中に家具がぶつかることによる損傷を効果的に回避するためである。
【０００３】
現在、市場に出回っている解体可能な家具は、通常、ネジとネジ座との係合やネジとルーズリーフとの係合を用いて家具の各部の連結を行っているが、このような連結は、人工板やその他の品質の悪い板材からなる家具にあっては、一度又は数回の着脱の後に再度取り外して再装備する必要が生じた場合、ネジ穴が大きくなって螺合穴が大きくなり、連結の安定性が悪くなり、最終的には家具が使用できなくなって極めて無駄になると共に、顧客による製品の性能判定に影響を与え、製品の販売量が少なくなって市場の長期安定性が損なわれる。
【考案の概要】
【考案が解決しようとする課題】
【０００４】
本考案の主な目的は、背景技術の問題を効果的に解決することができる家具製品の組立て連結具を提供することである。
【課題を解決するための手段】
【０００５】
家具製品の組立て連結具は、互いに嵌合する雌部材と雄部材とを含む。前記雌部材は、平面である底面を有するベースである。前記ベースの両側には第１側板と第２側板とが一体に連結されている。前記ベース、第１側板及び第２側板は、案内溝を形成する。前記雄部材は、垂直に設けられた第１基板及び第２基板を有する。前記第１基板の底部には、案内溝に挿入されるＴ字状突起が設けられている。
【０００６】
さらに、前記ベースの一端が密閉状に形成されている。
【０００７】
さらに、前記ベースには、第１貫通孔が設けられている。
【０００８】
さらに、前記第２基板には、第２貫通孔が設けられている。
【０００９】
さらに、前記Ｔ字状突起は、全体が中実のプラスチック構造であるか、または、第１基板に連通する複数の第３貫通孔がＴ字状突起に設けられている。
【００１０】
さらに、前記ベースと第１基板と第２基板との長さが同じである。
【００１１】
さらに、前記第１基板と第２基板との間に補強リブが設けられている。
【考案の効果】
【００１２】
本考案は、従来技術と比較して、以下の有益な効果を有する。
１．ベースと第１側板と第２側板とに囲まれた案内溝は、共通の雌部材を構成し、第１貫通孔は、ベースに設けられて雌部材を固定するためのものである。この構造は、簡単で実用性が高い。
２．Ｔ字形突起を案内溝と共に着脱可能な構造に設けることにより、実用的で使い勝手がよく、第２貫通孔は、第２基板に設けられて雄部材を固定するための構造である。この構造は、多数回の着脱後の再組み立て機能を実現することができる。
３．補強リブを設けることにより、雄部材の性能が向上し、安定性が向上するとともに、取り外し時の作業者の手の付着点として、作業者が取り外し作業をしやすくなる。
４．第１基板に連通する複数の第３貫通孔をＴ字状突起に設けることにより、製品加工時にプラスチックの放熱がはやくなり、製品加工効率が向上する。
【図面の簡単な説明】
【００１３】
【図１】本考案に係る家具製品の組立て連結具の全体構造を示す図である。
【図２】本考案に係る家具製品の組立て連結具の全体構造を示す図である。
【図３】本考案に係る家具製品の組立て連結具の雌部材の構造を示す図である。
【図４】本考案に係る家具製品の組立て連結具の雌部材側の側面図である。
【図５】本考案に係る家具製品の組立て連結具の雌部材の平面図である。
【図６】本考案に係る家具製品の組立て連結具の雄部材の第３貫通孔を省略した模式図である。
【図７】本考案に係る家具製品の組立て連結具の雄部材の第３貫通孔を省略しなかった模式図である。
【図８】本考案に係る家具製品の組立て連結具の雄部材の側面図である。
【考案を実施するための形態】
【００１４】
本考案が実現する技術的手段、創作的特徴、達成目的及び効果を分かりやすくするために、以下に具体的実施形態を参照して本考案を更に説明する。
【００１５】
（実施例１）
図１〜図６および図８に示すように、家具製品の組立て連結具は、互いに嵌合するプラスチック製の雌部材１と雄部材２とを含む。前記雌部材１は、平面である底面を有するベース３である。前記ベース３は、一端が密閉状であり、かつ両側に一体に連結された第１側板４及び第２側板５が設けられている。前記ベース３、第１側板４及び第２側板５は、案内溝６を形成する。前記ベース３には、第１貫通孔１０が設けられている。前記雄部材２は、垂直に設けられた第１基板７と第２基板８を含む。第２基板８は、第１基板７の一側辺に垂直に設けられ、又は、第２基板８は、第１基板７の一側辺の対向辺に垂直に設けられることによって、実際の使用に際して左側右側方向の使用要件を満たす。前記第１基板７の底部には、案内溝６に挿入されるＴ字状突起９が設けられている。前記Ｔ字状突起９は、全体が中実プラスチック構造である。前記第２基板８には、第２貫通孔１１が設けられている。前記ベース３、第１基板７及び第２基板８の長さは同じである。前記第１基板７と第２基板８の間には、３本の補強リブ１３が等間隔で均等に配置されている（図１）。
【００１６】
なお、本考案の家具製品の組立て連結具の原理は、雌部材１を第１貫通孔１０を通してネジで被組立板に固定し、左右方向に応じて適切な雄部材２を選択し（図１及び図２に示す）、雄部材２を第２貫通孔１１を通してネジで別の被組立板に固定し、雄部材２のＴ字状突起９をベースに沿って案内溝６に挿入することにより雌部材１と一体的に連結する。
【００１７】
（実施例２）
図７に示すように、本実施例は、実施例１に比べて、改良点として、前記Ｔ字状突起９に、第１基板７に連通する３個の第３貫通孔１２を設け、前記第３貫通孔１２を中空の直方体構造としたものである。
【００１８】
なお、本実施例は、実施例１に対して、Ｔ字状突起９に第１基板７に連通する第３貫通孔１２を設けた点で改良されており、この実施形態は、プラスチックの放熱に有利であり、製品の加工効率を向上させる点で有利である。
【００１９】
本考案の基本原理と主要な特徴、及び本考案の利点を示し、説明した。本考案は、上記実施例に限定されず、上記実施例及び明細書に記載されたものは、本考案の原理を説明するに過ぎず、本考案の精神及び範囲から逸脱することなく、本考案に様々な変更及び改良を加えることができ、これらの変更及び改良は、特許請求の範囲に記載された本考案の範囲内に含まれることが、当業者に理解されるであろう。本考案の特許請求の範囲は、添付の特許請求の範囲及びその均等物によって定義される。
【符号の説明】
【００２０】
１：雌部材、２：雄部材、３：ベース、４：第１側板、５：第２側板、６：案内溝、７：第１基板、８：第２基板、９：Ｔ字状突起、１０：第１貫通孔、１１：第２貫通孔、１２：第３貫通孔、１３：補強リブ。
【図１】
0003230122.tif 000003
【図２】
0003230122.tif 000004
【図３】
0003230122.tif 000005
【図４】
0003230122.tif 000006
【図５】
0003230122.tif 000007
【図６】
0003230122.tif 000008
【図７】
0003230122.tif 000009
【図８】
0003230122.tif 000010